(57)【要約】      （修正有）【課題】会話が中断等することなく、会話に関連するスライド等を自動的に選択表示させることができる表示装置、表示プログラム、表示システム及び表示装置の制御方法を提供する。【解決手段】プレゼンテーション支援システム１において、表示装置３０は、対象者の発声を音節情報に変換する音声認識部で変換された音節情報を記憶する音節情報記憶部と、説明用情報が含まれるスライド情報と、スライド情報の関連付けられている説明用情報に関する説明キーワード情報と、を記憶するスライド及びキーワード情報記憶部と、を含む。表示装置３０は、音節情報の組み合わせが、説明キーワード情報に該当するときに、当該説明キーワード情報を含むスライド情報を推奨スライド情報として出力する。【選択図】図１
2020184343.tif 000002
【特許請求の範囲】
【請求項１】
会話が中断等することなく、会話に関連するスライド情報を自動的に選択表示させることができる表示装置であって、
対象者の発声を音節情報に変換する音声認識部と、
前記音声認識部で変換された前記音節情報を記憶する音節情報記憶部と、
説明用情報が含まれるスライド情報と、
前記スライド情報と関連付けられている前記説明用情報に関する説明キーワード情報と、前記説明キーワード情報と対応するキーワード情報を記憶するスライド及びキーワード情報記憶部と、
前記音節情報記憶部に含まれる前記音節情報の組み合わせが、前記説明キーワード情報に該当するときに、対応する前記キーワード情報を発声キーワード情報として記憶し、前記発声キーワード情報を含む前記スライド情報を推奨スライド情報として出力することを特徴とする表示装置。
【請求項２】
複数の前記推奨スライド情報は、各前記推奨スライド情報が含む前記発声キーワード情報の数に基づいて、スライドの表示順に関する推奨表示順位情報が付される構成となっていることを特徴とする請求項１に記載の表示装置
【請求項３】
説明対象者の固有情報と一致する前記説明キーワード情報を含む前記推奨スライド情報に優先表示情報が付される構成となっていることを特徴とする請求項１又は請求項２に記載の表示装置。
【請求項４】
複数の前記推奨スライド情報の表示順が、過去における前記推奨スライド情報の表示実績情報に基づいて決定されることを特徴とする請求項１乃至請求項３のいずれか１項に記載の表示装置。
【請求項５】
複数の前記説明キーワード情報は、相互に関連する異なる前記説明キーワード情報を含み、前記音節情報の組み合わせが、これらうち一の前記説明キーワード情報に該当するときは、前記説明キーワード情報に対応する前記キーワード情報を前記発声キーワード情報として記憶し、前記発声キーワード情報を含む前記スライド情報も推奨スライド情報として出力することを特徴とする請求項１乃至請求項４のいずれか１項に記載の表示装置。
【請求項６】
前記音節情報の組み合わせが前記説明キーワード情報に該当しないときでも、前記説明キーワード情報と関連するキーワード関連言語情報に該当するときは、当該キーワード関連言語情報に対応する前記キーワード情報を前記発声キーワードとして記憶し、前記発声キーワード情報を含む前記スライド情報も推奨スライド情報として出力することを特徴とする請求項１乃至請求項５のいずれか１項に記載の表示装置。
【請求項７】
前記推奨スライド情報には分類情報が関連付けられ、
前記分類情報は、特定の前記説明キーワード情報と関連付けられ、
前記音節情報の組み合わせが、特定の前記説明キーワード情報に該当するときに、特定の当該説明キーワード情報に関連付けられている前記分類情報と対応付けられている前記推奨スライド情報を関連分類推奨スライド情報として出力することを特徴とする請求項１乃至請求項６のいずれか１項に記載の表示装置。
【請求項８】
前記音声認識部を有する端末装置を備えることを特徴とする請求項１乃至請求項７のいずれか１項に記載の表示装置を有する表示システム。
【請求項９】
会話が中断等することなく、会話に関連するスライド情報を自動的に選択表示させることができる表示装置の表示プログラムであって、
対象者の発声を音節情報に変換する音声認識部の機能、
前記音声認識部で変換された音節情報を音節情報記憶部に記憶する機能、
説明用情報が含まれるスライド情報と、前記スライド情報と関連付けられている前記説明用情報に関する説明キーワード情報と、前記説明キーワード情報と対応するキーワード情報をスライド及びキーワード情報記憶部に記憶する機能、
前記音節情報記憶部に含まれる前記音節情報の組み合わせが、前記説明キーワード情報に該当するときに、対応する前記キーワード情報を発声キーワード情報として記憶し、前記発声キーワード情報を含む前記スライド情報が推奨スライド情報として出力させる機能、を実現させるための表示プログラム。
【請求項１０】
会話が中断等することなく、会話に関連するスライド情報を自動的に選択表示させることができる表示装置の制御方法であって、
音声認識部が対象者の発声を音節情報に変換し、
前記音声認識部で変換された前記音節情報を音節情報記憶部に記憶し、
説明用情報が含まれるスライド情報と、前記スライド情報と関連付けられている前記説明用情報に関する説明キーワード情報と、前記説明キーワード情報と対応するキーワード情報をスライド及びキーワード情報記憶部に記憶し、
前記音節情報記憶部に含まれる前記音節情報の組み合わせが、前記説明キーワード情報に該当するときに、対応する前記キーワード情報を発声キーワードとして記憶し、前記発声キーワード情報を含む前記スライド情報を推奨スライド情報として出力することを特徴とする表示装置の制御方法。
【発明の詳細な説明】
【技術分野】
【０００１】
本発明は、例えば、プレゼンテーション用にスライド等を表示する表示装置、表示プログラム、表示システム及び表示装置の制御方法に関するものである。
【背景技術】
【０００２】
近年、営業担当者等が自社製品の説明をする際に、携帯可能で比較的大きな表示装置を有する端末を使用する場合が多い。このような端末には、予め、説明順に沿ったスライド等が記憶されている場合が多いが、顧客等との話の内容によっては、説明順と異なるスライドや予め表示するように準備していなかったスライドを表示装置に提示する必要も生じる。
そこで、かかる場合に、必要なスライドを検索等する提案がなされている（例えば、特許文献１）。
【先行技術文献】
【特許文献】
【０００３】
【特許文献１】特開２００６―３１８２１９号公報
【発明の概要】
【発明が解決しようとする課題】
【０００４】
しかし、顧客等との面談中にスライド検索等を行うと、話が中断等し、円滑な商品の説明等のプレゼンテーション等が妨げられるという問題があった。
【０００５】
そこで、本発明は、会話が中断等することなく、会話に関連するスライド等を自動的に選択表示させることができる表示装置、表示プログラム、表示システム及び表示装置の制御方法を提供することを目的とする。
【課題を解決するための手段】
【０００６】
前記課題は、本発明によれば、会話が中断等することなく、会話に関連するスライド情報を自動的に選択表示させることができる表示装置であって、対象者の発声を音節情報に変換する音声認識部と、前記音声認識部で変換された前記音節情報のうち特定の対象者の前記音節情報のみを記憶する音節情報記憶部と、説明用情報が含まれるスライド情報と、前記スライド情報と関連付けられている前記説明用情報に関する説明キーワード情報と、前記説明キーワード情報と対応するキーワード情報を記憶するスライド及びキーワード情報記憶部と、前記音節情報記憶部に含まれる前記音節情報の組み合わせが、前記説明キーワード情報に該当するときに、対応する前記キーワード情報を発声キーワード情報として記憶し、前記発声キーワード情報を含む前記スライド情報を推奨スライド情報として出力することを特徴とする表示装置により達成される。
【０００７】
前記構成によれば、音声判断部等の音声認識部で変換された音節情報の組み合わせが、説明キーワード情報に該当するときに、当該説明キーワード情報を含むスライド情報を推奨スライド情報として出力する表示装置となっている。
このため、例えば、営業担当者等が顧客等に、スライド情報を表示して、商品等の説明をしているとき、営業担当者や顧客等の対象者の発声を音節情報として取得することができる。
【０００８】
一方、前記構成によれば、スライド内容等を説明キーワード情報と関連付けて記憶されるスライド情報を有している。
そして、これら音節情報の組み合わせが、説明キーワード情報に該当するときに、当該説明キーワード情報を含むスライド情報を推奨スライド情報として自動的に出力（選択表示等）することができる構成となっている。
このため、顧客等との会話の流れに沿った適切な内容のスライド情報を表示装置に出力することができる。
また、顧客等との面談中にスライド検索等を行う必要がなく、会話が中断等し、円滑な商品等の説明等のプレゼンテーション等が妨げられるという事態の発生を未然に防ぐこともできる。
【０００９】
好ましくは、前記表示装置の複数の前記推奨スライド情報は、各前記推奨スライド情報が含む前記発声キーワード情報の数に基づいて、スライドの表示順に関する推奨表示順位情報が付される構成となっていることを特徴とする。
【００１０】
前記構成によれば、複数の推奨スライド情報が存在する場合、推奨スライド情報が含む説明キーワード情報の数に基づいて、スライドの表示順に関する優先順位情報等である推奨表示順位情報が付される。このため、例えば、複数の推奨スライド情報を、会話との関連性が高い順に表示等することができる。
したがって、使用者は、より会話との関連性が高い推奨スライド情報を容易に選択でき、会話の流れが中断等することなく、より円滑な商品等の説明等のプレゼンテーション等を行うことができる。
【００１１】
好ましくは、説明対象者の固有情報と一致する前記説明キーワード情報を含む前記推奨スライド情報に優先表示情報が付される構成となっていることを特徴とする。
【００１２】
前記構成によれば、説明対象者である顧客等の例えば、診療科や処方薬等の仕事内容等の情報である固有情報と一致する説明キーワード情報を含む推奨スライド情報は、特に、説明対象者が興味等を抱く内容であることが多い。
このため、かかる推奨スライド情報は優先的に表示する優先表示情報が付され、実際の表示では、優先的に表示され、使用者が選択し易い構成となる。
【００１３】
好ましくは、複数の前記推奨スライド情報の表示順が、過去における前記推奨スライド情報の表示実績情報に基づいて決定されることを特徴とする。
【００１４】
前記構成によれば、複数の推奨スライド情報の表示順が、過去における推奨スライド情報の表示実績情報に基づいて決定されるので、説明対象者にとって、より好ましい順序で推奨スライド情報を示すことができる。
【００１５】
好ましくは、前記表示装置の複数の前記説明キーワード情報は、相互に関連する異なる前記説明キーワード情報を含み、前記音節情報の組み合わせが、これらうち一の前記説明キーワード情報に該当するときは、前記説明キーワード情報に対応する前記キーワード情報を前記発声キーワード情報として記憶し、前記発声キーワード情報を含む前記スライド情報も推奨スライド情報として出力することを特徴とする。
【００１６】
前記構成によれば、複数の説明キーワード情報は、相互に関連する説明キーワード情報（例えば、「高血圧」と「降圧剤」等）を含み、音節情報の組み合わせが、これらのうち一の説明キーワード情報（例えば、「高血圧」）に該当するときは、相互に関連する他の説明キーワード情報（例えば、「降圧剤」）を含む前記スライド情報も推奨スライド情報として出力する。
したがって、一つ音節情報の組み合わせである単語等から、より多くの説明キーワード情報をカバーすることができるので、会話等の内容に適した内容を有する推奨スライド情報を操作者に提供することができる。
【００１７】
好ましくは、前記表示装置の前記音節情報の組み合わせが前記説明キーワード情報に該当しないときでも、前記説明キーワード情報と関連するキーワード関連言語情報に該当するときは、当該キーワード関連言語情報に対応する前記キーワード情報を前記発声キーワードとして記憶し、前記発声キーワード情報を含む前記スライド情報も推奨スライド情報として出力することを特徴とする。
【００１８】
前記構成によれば、音節情報の組み合わせが説明キーワード情報（例えば、「高血圧」）に該当しないときでも、説明キーワード情報（例えば、「高血圧」）と関連するキーワード関連言語情報（例えば、「頭」と「痛い」）に該当するときは、当該キーワード関連言語情報と関連ある説明キーワード情報（例えば、「高血圧」）を含む前記スライド情報も推奨スライド情報として出力される。
このため、説明対象者の発声が、説明キーワード情報に該当しないときでも、関連ある言語情報であれば、適切な推奨スライド情報を出力させることができる。
【００１９】
好ましくは、前記音声認識部を有する端末装置を備えることを特徴とする表示装置を有する表示システムである。
【００２０】
前記構成によれば、説明対象者の発声を音節情報に変換する音声認識部が表示装置ではなく、別個の携帯電話等の端末装置が有し、この端末装置が音声認識処理をおこない、表示装置のＣＰＵ等は、音声認識の処理を行わないので、表示装置のＣＰＵ等の負荷が小さくなり、表示装置の情報処理を迅速に行うことができる。
【００２１】
好ましくは、前記推奨スライド情報には分類情報が関連付けられ、前記分類情報は、特定の前記説明キーワード情報と関連付けられ、前記音節情報の組み合わせが、特定の前記説明キーワード情報に該当するときに、特定の当該説明キーワード情報に関連付けられている前記分類情報と対応付けられている前記推奨スライド情報を関連分類推奨スライド情報として出力することを特徴とする。
【００２２】
前記構成によれば、音節情報の組み合わせが、特定の説明キーワード情報に該当するときに、特定の当該説明キーワード情報に関連付けられている分類情報と対応付けられている推奨スライド情報を関連分類推奨スライド情報（例えば、「表示用テーマ関連スライド情報」等）として出力する。
このため、使用者は、説明対象者である顧客等との会話で話題となったテーマ等の分類情報に関連するスライド情報を表示装置に出力できるので、顧客等の面談中により円滑且つ適切な商品等の説明等のプレゼンテーション等を行うことができる。
【００２３】
前記課題は、会話が中断等することなく、会話に関連するスライド情報を自動的に選択表示させることができる表示装置の表示プログラムであって、対象者の発声を音節情報に変換する音声認識部の機能、前記音声認識部で変換された音節情報のうち特定の対象者の前記音節情報のみを音節情報記憶部に記憶する機能、説明用情報が含まれるスライド情報と、前記スライド情報と関連付けられている前記説明用情報に関する説明キーワード情報と、前記説明キーワード情報と対応するキーワード情報をスライド及びキーワード情報記憶部に記憶する機能、前記音節情報記憶部に含まれる前記音節情報の組み合わせが、前記説明キーワード情報に該当するときに、対応する前記キーワード情報を発声キーワード情報として記憶し、前記発声キーワード情報を含む前記スライド情報が推奨スライド情報として出力させる機能、を実現させるための表示プログラムにより達成される。
【００２４】
前記課題は、会話が中断等することなく、会話に関連するスライド情報を自動的に選択表示させることができる表示装置の制御方法であって、音声認識部が対象者の発声を音節情報に変換し、前記音声認識部で変換された前記音節情報のうち特定の対象者の前記音節情報のみを音節情報記憶部に記憶し、説明用情報が含まれるスライド情報と、前記スライド情報と関連付けられている前記説明用情報に関する説明キーワード情報と、前記説明キーワード情報と対応するキーワード情報をスライド及びキーワード情報記憶部に記憶し、前記音節情報記憶部に含まれる前記音節情報の組み合わせが、前記説明キーワード情報に該当するときに、対応する前記キーワード情報を発声キーワードとして記憶し、前記発声キーワード情報を含む前記スライド情報を推奨スライド情報として出力することを特徴とする表示装置の制御方法により達成される。
【発明の効果】
【００２５】
本発明は、会話が中断等することなく、会話に関連するスライド等を自動的に選択表示させることができる表示装置、表示プログラム、表示システム及び表示装置の制御方法を提供することができるという利点がある。
【図面の簡単な説明】
【００２６】
【図１】本発明の表示システムである例えば、プレゼンテーション支援システムの主な構成を示す概略図である。
【図２】図１の携帯電話の主な構成を示す概略ブロック図である。
【図３】図１のＸ製薬医薬情報サーバの主な構成を示す概略ブロック図である。
【図４】図１のタブレット型端末の主な構成を示す概略ブロック図である。
【図５】第１の端末側各種情報記憶部の主な内容を示す概略ブロック図である。
【図６】第２の端末側各種情報記憶部の主な内容を示す概略ブロック図である。
【図７】第３の端末側各種情報記憶部の主な内容を示す概略ブロック図である。
【図８】第４の端末側各種情報記憶部の主な内容を示す概略ブロック図である。
【図９】第５の端末側各種情報記憶部の主な内容を示す概略ブロック図である。
【図１０】第６の端末側各種情報記憶部の主な内容を示す概略ブロック図である。
【図１１】第７の端末側各種情報記憶部の主な内容を示す概略ブロック図である。
【図１２】本システムの主な動作例を示す概略フローチャートである。
【図１３】本システムの主な動作例を示す他の概略フローチャートである。
【図１４】本システムの主な動作例を示す他の概略フローチャートである。
【図１５】本システムの主な動作例を示す他の概略フローチャートである。
【図１６】本システムの主な動作例を示す他の概略フローチャートである。
【図１７】本システムの主な動作例を示す他の概略フローチャートである。
【発明を実施するための形態】
【００２７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２８】
図１は、本発明の表示システムである例えば、プレゼンテーション支援システム１の主な構成を示す概略図である。
図１に示すように、本システム１は、例えば、Ｘ製薬会社が、その従業員であり、本システム１の使用者である例えば、医薬情報提供者（ＭＲ（Ｍｅｄｉｃａｌ  Ｒｅｐｒｅｓｅｎｔｉｖｅ））が対象者である例えば、顧客である病院等の医師や薬剤師等の医療従事者に、自社の製品の情報を提供する際に使用されるスライド情報、例えば、スライドを多数、準備し、図１のＸ製薬医薬情報サーバ１０に記憶する構成となっている。
【００２９】
このスライドは、例えば、ＭＲが面談する医師、看護師及び薬剤師等に自社の製品（例えば、Ａ降圧剤等）の医薬情報を提供するためのスライドであり、自社製品である薬剤の適応症、有効性、副作用等の情報が示されている。
また、本システム１は、各ＭＲが、当該スライドを面談対象者である医師等に表示するための表示装置である例えば、タブレット型端末３０や端末装置である例えば、携帯電話７０を有し、これらタブレット型端末３０及び携帯電話７０は、図１に示すように、インターネット網２及び基地局３等を介して、Ｘ製薬医薬情報サーバ１０と通信可能な構成となっている。
【００３０】
このため、タブレット型端末３０は、Ｘ製薬医薬情報サーバ１０から各種スライドを取得することができる構成となっている。
【００３１】
携帯電話７０は、図１に示すように、その中央に、各種情報を入力すると共に表示する表示部である例えば、「携帯側タッチパネル７１」が配置されている。
携帯側タッチパネル７１は「位置入力装置付き表示装置」であって、液晶パネル等の表示装置とタッチパッド等の位置入力装置を組み合わせた電子部品である。
したがって、画面上の表示を押すことで各種情報を入力することができると共に、各種情報を表示することができる構成となっている。
【００３２】
また、携帯電話７０は、図１に示すように、各種情報を入力するための「携帯側入力ボタン７２」を備えていると共に、顧客等の音声情報を取得するマイクロホン７３を有している
【００３３】
また、図１のタブレット型端末３０も携帯電話７０と同様に、「端末側タッチパネル３１」や「端末側入力ボタン３２」等を有している。
【００３４】
携帯電話７０、タブレット型端末３０及びＸ製薬医薬情報サーバ１０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００３５】
図２は、図１の携帯電話７０の主な構成を示す概略ブロック図である。
図２に示すように、携帯電話７０は、「携帯制御部７４」を有し、携帯制御部７４は、Ｘ製薬医薬情報サーバ１０等と通信等するための「携帯側通信装置７５」、図１に示す「携帯側タッチパネル７１」や「携帯側入力ボタン７２」を制御する他、図２に示す「携帯電話装置本体７６」も制御する。
また、携帯制御部７４は、図２に示す「５０音節記憶部７７」、「音節判断部（プログラム）７８」及び「携帯側発声音節記憶部７９」を制御する。これら「５０音節記憶部７７」等については後述する。
さらに、携帯制御部７４は、図２に示す、各種情報を記憶する「端末側各種情報記憶部８０」も制御する。
【００３６】
図３は、図１のＸ製薬医薬情報サーバ１０の主な構成を示す概略ブロック図である。
図３に示すように、Ｘ製薬医薬情報サーバ１０は、「サーバ制御部１１」を有し、サーバ制御部１１は、図１のタブレット型端末３０と通信等するための「サーバ側通信装置１２」、各種情報を表示する「サーバ側ディスプレイ１３」及び各種情報を入力するための「サーバ側各種情報入力装置１４」等を制御する。
【００３７】
また、サーバ制御部１１は、図３に示すように「サーバ側スライドデータ記憶部１５」、「サーバ側キーワード関連データ記憶部１６」、「サーバ側テーマ関連キーワード記憶部１７」、「サーバ側病院データ記憶部１８」及び「サーバ側スライド提供順履歴データ記憶部１９」も制御する。なお、これら記憶部の内容については後述する。
【００３８】
図４は、図１のタブレット型端末３０の主な構成を示す概略ブロック図である。
図４に示すように、タブレット型端末３０は、「端末制御部３３」を有し、端末制御部３３は、Ｘ製薬医薬情報サーバ１０等と通信等するための「端末側通信装置３４」、図１に示す「端末側タッチパネル３１」や「端末側入力ボタン３２」を制御する他、図４に示す「第１の端末側各種情報記憶部１１０」、「第２の端末側各種情報記憶部１２０」、「第３の端末側各種情報記憶部１３０」、「第４の端末側各種情報記憶部１４０」、「第５の端末側各種情報記憶部１５０」、「第６の端末側各種情報記憶部１６０」及び「第７の端末側各種情報記憶部１７０」も制御する。
【００３９】
図５乃至図１１は、それぞれ「第１の端末側各種情報記憶部１１０」、「第２の端末側各種情報記憶部１２０」、「第３の端末側各種情報記憶部１３０」、「第４の端末側各種情報記憶部１４０」、「第５の端末側各種情報記憶部１５０」、「第６の端末側各種情報記憶部１６０」及び「第７の端末側各種情報記憶部１７０」の主な内容を示す概略ブロック図である。これらの内容については後述する。
【００４０】
図１２乃至図１７は、本システム１の主な動作例を示す概略フローチャートである。
本実施の形態では、Ｘ製薬会社の従業員である医薬情報提供者（ＭＲ）が、図１の携帯電話７０及びタブレット型端末３０を持参し、このタブレット型端末３０の端末側タッチパネル３１にスライドを表示し、担当病院の顧客である例えば、医師にＸ製薬会社の製品の情報の提供をすることを例に以下、説明する。
【００４１】
先ず、ＭＲは、図１に示す自己のタブレット型端末３０を起動させ、図１のＸ製薬会社のＸ製薬医薬情報サーバ１０と通信する。
そして、ステップ（以下「ＳＴ」とする。）１へ進む。ＳＴ１では、ＭＲが、図１のＸ製薬医薬情報サーバ１０から図３に示す「サーバ側スライドデータ記憶部１５」、「サーバ側キーワード関連データ記憶部１６」、「サーバ側テーマ関連キーワード記憶部１７」、「サーバ側病院データ記憶部１８」、「サーバ側スライド提供順履歴データ記憶部１９」の各データを取得する。
【００４２】
そして、ＭＲのタブレット型端末３０に記憶する。具体的には、図５の「端末側スライドデータ記憶部１１１」、図６の「端末側キーワード関連データ記憶部１２１」、「端末側キーワード関連データ記憶部１２２」、「端末側病院データ記憶部１２３」、図７の「端末側スライド提供順履歴データ記憶部１３１」に記憶される。
【００４３】
すなわち、ＭＲがタブレット型端末３０で、医師等に示すスライド等のデータは、全てＸ製薬医薬情報サーバ１０に記憶されているので、本工程では、これらのデータを全てタブレット端末型端末３０にダウンロードし、記憶させる工程となる。
また、既にタブレット型端末３０に、これらのデータが記憶されているときは、本工程、最新のデータに更新する工程となる。
なお、本工程でタブレット型端末３０に記憶された各データの内容については、後述する。
【００４４】
次いで、ＳＴ２へ進む。ＳＴ２では、ＭＲは、今回の訪問予定の訪問病院及び訪問診療科のデータ、例えば、Ｄ病院の内科等を自己のタブレット型端末３０に入力し、図７の「訪問Ｄｒ情報記憶部１３２」に記憶させる
【００４５】
その後、ＭＲは、図１の携帯電話７０とタブレット型端末３０を持参して、Ｄ病院へ訪問し、内科の医師と面談を開始する。このとき、タブレット型端末３０の端末側タッチパネル３１に、スライドを表示し、自社の製品の医薬情報等を医師に提供し始める。また、ＭＲは持参した携帯電話７０も起動させる。
【００４６】
次いで、ＳＴ３へ進む。ＳＴ３では、携帯電話７０の図２の音声認識部である例えば、「音節判断部（プログラム）７８」が動作し、携帯電話７０のマイクロホン７３が検知した「音」と、図２の「５０音節記憶部７７」のデータを比較する。
この「５０音節記憶部７７」には、音節情報である例えば、日本語の「あ」乃至「ん」の５０音節の音節データが記憶されている。
したがって、本工程では、マイクロホン７３が検知した「音」が５０音節に該当するか否かを判断する。
【００４７】
次いで、ＳＴ４で、マイクロホン７３が検知した「音」が５０音節に該当すると判断されたときは、ＳＴ５へ進む。ＳＴ５では、５０音節に該当すると判断された「音」を各音節として図２の「携帯側発声音節記憶部７９」に記憶させる。
【００４８】
次いで、ＳＴ６では、携帯電話７０が「携帯側発声音節記憶部７９」の音節データを図１のタブレット型端末３０に送信する。
次いで、ＳＴ７では、タブレット型端末３０が、受信した「音節データ」を、図７の音節情報記憶部である例えば、「端末側発声音節記憶部１３３」に記憶させる。
【００４９】
次いで、ＳＴ８へ進む。ＳＴ８では、図７の「キーワード検出部（プログラム）１３４」が動作し、「端末側発声音節記憶部１３３」に記憶された音節の組み合わせが、図５の「端末側スライドデータ記憶部１１１」の「関連キーワード」に該当するか否かを判断する。
【００５０】
この「端末側スライドデータ記憶部１１１」には、図５に示すように、説明用情報である医師等への説明内容（Ｘ製薬会社のＡ降圧剤の副作用の説明等）を含むスライドデータが記憶されている。
また、このスライドデータと関連付けて、スライド番号情報、例えば、スライドＰ−１等の情報が記憶されている。
【００５１】
さらに、このスライドデータと関連付けて説明キーワード情報である例えば、「関連キーワード」データも記憶されている。
この関連キーワードは、スライドデータの説明内容に関するキーワードとなっている。例えば、図５の「スライドＰ−１」の場合は「降圧剤、高血圧、家族性高血圧、副作用」等の「関連キーワード」が記憶されている。
【００５２】
また、このスライドデータには、分類情報である例えば、「テーマ」情報が関連付けられている。スライドＰ−１の場合は、図５に示すように「降圧剤の副作用」がテーマとして記憶されている。
【００５３】
このようなデータが「端末側スライドデータ記憶部１１１」に記憶され、「端末側スライドデータ記憶部１１１」には「関連キーワード」のデータが記憶されているので、本工程では、「端末側発声音節記憶部１３３」に記憶された音節の組み合わせが、図５の「端末側スライドデータ記憶部１１１」の「関連キーワード」に該当するかを判断する。
なお、端末側スライドデータ記憶部１１１が「スライド及びキーワード情報記憶部」の一例となっている。
【００５４】
次いで、ＳＴ９で、「端末側発声音節記憶部１３３」に記憶された音節の組み合わせが、図５の「端末側スライドデータ記憶部１１１」の「関連キーワード」に該当すると判断されたときは、ＳＴ１０で、該当するキーワード、例えば、「高血圧」を図７の「発声キーワード記憶部１３５」に記憶させる。
【００５５】
このように、本実施の形態では、ＭＲが面談している相手の医師等が発声した言葉から、スライドと関連キーワードを自動的に取得することができる。
【００５６】
このとき、音声から特徴を抽出し、モデル化し、それを使って個人の声の認識を行う「話者認識」で、ＭＲではなく、医師等の音声のみを認識させることもできる。
具体的には、予めＭＲの音声特徴をモデル化してタブレット型端末３０が記憶する。また、携帯電話７０から取得した「音節データ」には、周波数情報等を含める構成となっている。
したがって、この場合、タブレット型端末３０は、周波数情報を含む「音節データ」からＭＲの音声と、その他の音声を区別でき、ＭＲの音声を選択することができる。
そして、この場合、顧客である医師等が発声した「関連キーワード」のみを記憶することできるので、当該医師等の興味のある分野等をより正確に把握できることになる。
【００５７】
次いで、ＳＴ１１へ進む。ＳＴ１１では、図７の「関連キーワード検出部（プログラム）１３６」が動作し、図６の「端末側キーワード関連データ記憶部１２１」を参照する。そして、図７の「発声キーワード記憶部１３５」に記憶された「関連キーワード」が「端末側キーワード関連データ記憶部１２１」の「関連キーワード」に該当するか否かを判断する。
【００５８】
次いで、ＳＴ１２で「関連キーワード」があると判断されたとき、ＳＴ１３へ進む。ＳＴ１３では、「端末側キーワード関連データ記憶部１２１」における当該対応するキーワードを「発声キーワード」として、図７の「発声キーワード記憶部１３５」に記憶する。
例えば、関連キーワードである「高血圧」は、「端末側キーワード関連データ記憶部１２１」の「関連キーワード」に該当するため、この「高血圧」に対応するキーワードである「降圧剤」を「発声キーワード」として「発声キーワード記憶部１３５」に登録する。
また、ここで、「端末側キーワード関連データ記憶部１２１」の「関連キーワード」と「キーワード」の対応情報が、「相互に関連する説明キーワード情報」の一例となっている。
【００５９】
したがって、本実施の形態では、一つ音節情報の組み合わせである単語等から、より多くのキーワードをカバーすることができる。
【００６０】
次いで、ＳＴ１４へ進む。ＳＴ１４では、図７の「関連単語基準キーワード検出部（プログラム）１３７」が動作し、図７の「端末側発声音節記憶部１３３」を参照し、図６の「端末側キーワード関連データ記憶部１２１」の「関連単語」に該当する単語があるか否かを判断する。
【００６１】
次いで、ＳＴ１５で、「関連単語」に該当すると判断されたときは、ＳＴ１６で、「関連単語」対応するキーワードを「発声キーワード」として図７の「発声キーワード記憶部１３５」に記憶させる。
例えば、「端末側発声音節記憶部１３３」に「頭」「痛い」の単語が連続又は極めて近接した単語として、記憶されたときは、「端末側キーワード関連データ記憶部１２１」の当該関連単語に対応する「キーワード」である「高血圧」が発声キーワードとして記憶される。
【００６２】
また、「端末側発声音節記憶部１３３」に「血圧低」と「吐き気」の単語が連続又は極めて近接した単語として、記憶されたときは、「端末側キーワード関連データ記憶部１２１」の当該関連単語に対応する「キーワード」である「副作用」が発声キーワードとして記憶される。
また、ここで、「端末側キーワード関連データ記憶部１２１」の「関連単語」と「キーワード」の対応情報が、「キーワード関連言語情報」の一例となっている。
【００６３】
このように本実施の形態では、例え、関連キーワードに該当する「音節データ」が「端末側発声音節記憶部１３３」になくても、関連する単語である「関連単語」に相当する「音節データ」があれば、関連する「キーワード」を発声キーワードとして、記憶する。
したがって、医師との面談中の会話からより幅の広い「キーワード」を「発声キーワード」として記憶することができる。
【００６４】
以上で、面談中の医師の言葉等から「関連キーワード」や「キーワード」を取得し、「発声キーワード記憶部１３５」に「発声キーワード」として記憶する工程が一応終了する。
本実施の形態では、上述のように、発声キーワードとして「高血圧」「降圧剤」及び「副作用」が先ず、登録されることになる。
さらに、本実施の形態では、例えば、医師から「高脂血症」に相当する言語が発声されたので、「高脂血症」が「発声キーワード」として記憶される。
このため、本実施の形態では、発声キーワードは「高血圧」、「降圧剤」、「副作用」及び「高脂血症」となる。
【００６５】
そこで、以下では、これらの「発声キーワード」から当該面談中の医師の話の内容に適合したスライドを選択する工程が実施される。
【００６６】
先ず、ＳＴ１７で、図８の「基本スライド選択処理部（プログラム）１４１」が動作し、図７の「発声キーワード記憶部１３５」の「発声キーワード」を含む図５の「端末側スライドデータ記憶部１１１」のスライドの有無を判断する。
具体的には、例えば、「高血圧」、「降圧剤」、「副作用」及び「高脂血症」という「発声キーワード」を「関連キーワード」に含むスライドの有無を判断する。
【００６７】
次いで、ＳＴ１８で「発声キーワード」を「関連キーワード」に含むスライドが存在すると判断されたときは、ＳＴ１９で、「発声キーワード」が含まれるスライドのスライド番号を図８の「基本スライド記憶部１４２」に記憶させる。
例えば、図５の「端末側スライドデータ記憶部１１１」に示すように、「高血圧」、「降圧剤」、「副作用」及び「高脂血症」という「発声キーワード」のいずれかを含むスライドは、「スライドＰ−１」「スライドＰ−２」「スライドＰ−３」及び「スライドＰ−４」なので、これらのスライド番号を図８の「基本スライド記憶部１４２」に記憶させる。
【００６８】
これにより、面談中の医師の言葉等と関連のあるスライドの一覧を抽出することができたが，次いで、これらのスライドのうち、より関連性が深いスライドを特定する工程を以下のように実行する。
【００６９】
ＳＴ２０では、図８の「スライド優先情報付与部（プログラム）１４３」が動作し、図８の「基本スライド記憶部１４２」のスライド番号（スライドＰ−１、Ｐ−２、Ｐ−３、Ｐ−４）に対応するスライドのうち、「発声キーワード（「高血圧」、「降圧剤」、「副作用」及び「高脂血症」等）を最も多く含んでいるスライドから順番に「優先順位情報」を関連付けて、図８の「優先順位情報記憶部１４４」に記憶する。
【００７０】
例えば、スライド番号Ｐ−１とＰ−２は、３つの発声キーワード「高血圧」「降圧剤」「副作用」を含み、最も「発声キーワード」の数が多いので「第１優先順位」と関連付けて、「優先順位情報記憶部１４４」に記憶される。
また、スライド番号Ｐ−３とＰ−４は共に２つの発声キーワード「高脂血症」と「副作用」を含むので「第２優先順位」と関連付けて「優先順位情報記憶部１４４」に記憶される。
なお、この「優先順位情報」が、「推奨表示順位情報」の一例となっている。
【００７１】
したがって、医師との面談中の会話において、より合致し、より適切なスライドに優先順位を付けて準備することができる。
【００７２】
次いで、ＳＴ２１では、図８の「病院固有情報付与部（プログラム）１４５」が動作し、図７の「訪問Ｄｒ情報記憶部１３２」の情報、例えば、Ｄ病院、内科に基づいて、図６の「端末側病院データ記憶部１２３」を参照する。
この「端末側病院データ記憶部１２３」には、病院名、納入医薬品名、診療科別関連医薬品名、薬剤毎の競合情報等が記憶されている。
例えば、Ｄ病院には、Ａ降圧剤、Ｂ降圧剤、Ｃ高脂血症剤、Ｄ高脂血症剤等が納入され、内科では、降圧剤、高脂血症剤等を使用していることが記憶されている。また、内科の降圧剤では、Ａ降圧剤とＢ降圧剤が競合し、高脂血症剤では、Ｃ高脂血症剤とＤ高脂血症剤が競合していることも記憶されている。
【００７３】
したがって、「訪問Ｄｒ情報記憶部１３２」のＤ病院、内科に基づいて、当該病院（Ｄ病院）の内科の薬剤情報（例えば、「降圧剤」「高脂血症剤」等）と競合情報（例えば、「Ａ降圧剤」と「Ｂ降圧剤」、「Ｃ高脂血症薬」と「Ｄ高脂血症薬」等）を取得して、当該薬剤情報（「降圧剤」「高脂血症剤」等）と当該競合情報（「Ａ降圧剤」と「Ｂ降圧剤」、「Ｃ高脂血症薬」と「Ｄ高脂血症薬」）を含む「基本スライド記憶部１４２」のスライド番号に「病院固有情報」を関連付けて「病院固有情報記憶部１５１」に記憶する。
【００７４】
例えば、スライド番号Ｐ−１は「降圧剤」を含み、Ｐ−２は「降圧剤」、「Ａ降圧剤」と「Ｂ降圧剤」を含み、Ｐ−３は、「高脂血症剤」を含み、Ｐ−４は、「高脂血症剤」、「Ｃ高脂血症薬」と「Ｄ高脂血症薬」を含んでいるので、スライド番号であるＰ−１乃至Ｐ−４に「病院固有情報」を関連つけて図９の「病院固有情報記憶部１５１」に記憶させる。
【００７５】
なお、図６の「端末側病院データ記憶部１２３」のＤ病院やＡ降圧剤等のデータが「固有情報」の一例であって、病院固有情報が「優先表示情報」の一例となっている。
【００７６】
したがって、予め記憶されている面談の相手方である対象者である医師等が興味等を抱く事項に該当する関連キーワード等が含まれているスライドがあるとき、これらのスライドに優先表示である「病院固有情報」を付する構成となっている。
【００７７】
次いで、ＳＴ２２へ進む。ＳＴ２２では、図９の「表示順スライドデータ抽出部（プログラム）１５２」が動作し、「基本スライド記憶部１４２」のスライド番号が図７の「端末側スライド提供順履歴データ記憶部１３１」のスライド番号と一致するか否かを判断する。
この「端末側スライド提供順履歴データ記憶部１３１」には、複数のスライド番号が過去に他のＭＲによって、どのような順番で表示されていたかの「スライド表示順」のデータが記憶されていると共に、当該スライド表示順の表示回数データも記憶されている。
したがって、本工程では、先ず、「基本スライド記憶部１４２」のスライド番号が図７の「端末側スライド提供順履歴データ記憶部１３１」のスライド番号と一致するか否かを判断する。
【００７８】
次いで、ＳＴ２３で、スライド番号と一致する場合は、ＳＴ２４へ進む。本実施の形態では、「端末側スライド提供順履歴データ記憶部１３１」のスライド番号は、Ｐ−１、Ｐ−２、Ｐ−３、Ｐ−４であるので、「端末側スライド提供順履歴データ記憶部１３１」のスライド番号と一致する。
そこで，ＳＴ２４へ進む。ＳＴ２４では、「端末側スライド提供順履歴データ記憶部１３１」の表示回数の多い「スライド表示順」情報を選択し、図９の「表示順スライド順データ記憶部１５３」に記憶する。
【００７９】
すなわち、同じスライドの組み合わせで、他のＭＲが最も多く表示した「スライド表示順」を「表示順スライド順データ記憶部１５３」に記憶する。
本実施の形態では、例えば、図７の「端末側スライド提供順履歴データ記憶部１３１」では、「Ｐ−１」→「Ｐ−２」→「Ｐ−３」→「Ｐ−４」が表示回数２０回で最多となっているので、この表示順を記憶する。
なお、この「端末側スライド提供順履歴データ記憶部１３１」に記憶されているデータが、「表示実績情報」の一例となっている。
【００８０】
次いで、ＳＴ２５へ進む。ＳＴ２５では、図９の「第１のスライド表示順決定処理部（プログラム）１５４」が動作し、図８の「優先順位情報記憶部１４４」で、同じ優先順位に複数のスライド番号が存在するか否かを判断する。
本実施の形態では、上述のように「優先順位情報記憶部１４４」には、「第１優先順位」として、スライドＰ−１とＰ−２が記憶され、「第２優先順位」として、スライドＰ−３、Ｐ−４が記憶されている。
したがって、ＳＴ２６では、同じ優先順位に複数のスライド番号が存在すると判断されるが、この工程で、同じ優先順位に複数のスライド番号が存在しないときは、ＳＴ２７へ進む。
【００８１】
ＳＴ２７では、「優先順位情報記憶部１４４」の優先順位に従い、各スライド番号を「推奨スライド番号」として、図１のタブレット型端末３０の端末側タッチパネル３１に表示する。
すなわち、タブレット型端末３０は、ＭＲに対して、医師との会話の流れに沿った適切な内容を有するスライドを「推奨スライド」として、その番号を随時、表示することになる。また、推奨スライドが複数あるときは、会話の流れにより沿った内容のスライドから順番（優先順位を付けて）に表示される。
【００８２】
そして、このような表示を視認したＭＲは、当該「推奨スライド番号」を端末側タッチパネル３１上で、クリック等して選択するだけで、当該推奨スライド番号のスライド内容が表示されること構成となっている。
したがって、ＭＲは医師との会話中に、その内容に最適のスライド内容を迅速に端末側タッチパネル３１に表示させることができるので、従来のように面談中にスライド検索等を行う必要がなく、会話が中断等することがなく、円滑なプレゼンテーションが可能となる。
【００８３】
また、この推奨スライド番号は、会話の内容により合致した適切な内容の順番に表示されるので、ＭＲは、最先の推奨スライド番号を選択するだけで、最適な内容のスライドを端末側タッチパネル３１に表示させることができる。
なお、この「推奨スライド番号」が、推奨スライド情報の一例となっている。
【００８４】
一方、ＳＴ２６で、同じ優先順位に複数のスライド番号が存在すると判断されたときは、ＳＴ２８へ進む。ＳＴ２８では、図９の「病院固有情報記憶部１５１」を参照し、同じ優先順位のスライドでも「病院固有情報」が関連付けられたスライドをより優先表示として処理し、図５の「第１のスライド表示順位決定記憶部１５５」に記憶させる。
【００８５】
本実施の形態では、上述のように「病院固有情報記憶部１５１」では、スライドＰ−１、Ｐ−２、Ｐ−３、Ｐ−４の全てに「病院固有情報」が関連付けられているため、「第１優先順位」のスライドＰ−１とＰ−２が同じ優先表示として「第１のスライド表示順位決定記憶部１５５」に記憶され、「第２優先順位」のスライドＰ−３とＰ−４が同じ優先表示として「第１のスライド表示順位決定記憶部１５５」に記憶されることになる。
【００８６】
次いで、ＳＴ２９へ進む。ＳＴ２９では、図１０の「第２のスライド表示順決定処理部（プログラム）１６１」が動作し、「第１のスライド表示順位決定記憶部１５５」を参照し、同じ優先順位に複数のスライドが存在するか否かを判断する。
【００８７】
本実施の形態では、上述のように、「第１のスライド表示順位決定記憶部１５５」に同じ優先順位に複数のスライドが存在するので、ＳＴ３０では、同じ優先順位に複数のスライドが存在すると判断される。
しかし、ＳＴ３０で、本実施の形態と異なり、同じ優先順位で複数のスライドが存在しないと判断されたときは、ＳＴ３１へ進む。
【００８８】
ＳＴ３１では、「第１のスライド表示順位決定記憶部１５５」の優先順位に従い、各スライド番号を「推奨スライド番号」として、図１のタブレット型端末３０の端末側タッチパネル３１に表示する。
すなわち、タブレット型端末３０は、ＭＲに対して、医師との会話の流れに沿った適切な内容を有するスライドを「推奨スライド」として、その番号を随時、表示することになる。また、推奨スライドが複数あるときは、会話の流れにより沿った内容のスライドから順番（優先順位を付けて）に表示される。
【００８９】
一方、ＳＴ３０で、上述の本実施の形態のように、同じ優先順位に複数のスライド番号が存在すると判断したときは、ＳＴ３２へ進む。
ＳＴ３２では、図９の「表示順スライドデータ記憶部１５３」を参照し、その表示順に従ってスライド表示順を決定し、「第２のスライド表示順決定記憶部１６２」に記憶する。
【００９０】
本実施の形態では、上述のように、例えば、「表示順スライドデータ記憶部１５３」では、「スライドＰ−１」→「Ｐ−２」→「Ｐ−３」→「Ｐ−４」の優先表示順として記憶されている。
したがって、「第２のスライド表示順決定記憶部１６２」には、「スライドＰ−１」→「Ｐ−２」→「Ｐ−３」→「Ｐ−４」の優先表示順が記憶される。
【００９１】
次いで、ＳＴ３３へ進む。ＳＴ３３では、「第２のスライド表示順決定記憶部１６２」のスライドの表示順に従い、スライド番号が推奨スライド番号として、タブレット型端末３０の端末側タッチパネル３１に表示される。
この際に、面談中の医師等の発声に基づく「関連キーワード」を多く含むスライドを優先的に表示するだけでなく、同じ優先順位のスライドが存在した場合、当該医師に関する「病院固有情報（病院名、納入医薬品名、診療科別関連医薬品名、競合情報等）」に基づいて、より適切なスライドを優先的に表示させ、及び／または、他のＭＲが過去に表示したスライドの表示順の情報に基づいてより適切なスライドを優先的に表示させるような構成となっている。
【００９２】
したがって、医師との会話中に当該会話と関連が深く、最適なスライドの番号を迅速に端末側タッチパネル３１に表示することができ、ＭＲは上述のように、当該番号を端末側タッチパネル３１上で選択するだけで、迅速に適切なスライド内容を表示させることができる構成となっている。
また、端末側タッチパネル３１上に表示された推奨スライドの番号が複数あっても、より適切な推奨スライド番号が優先的に表示されるので、ＭＲは迷うことなく、適切な推奨スライドを選択することができる。
以上のように、本実施の形態のシステム１では、スライドの検索等で、医師との会話が中断等することがなく、円滑な医薬情報の提供が可能となる構成となっている。
【００９３】
次いで、ＳＴ３４へ進む。ＳＴ３４では、端末側タッチパネル３１に「テーマ関連スライドを表示させますか？」と表示される。
すなわち、医師との会話の内容と、「テーマ」が共通するスライドである「テーマ関連スライド」をＳＴ３３等で表示される推奨スライドと別に表示するか否を問われる。
【００９４】
ＳＴ３５で、テーマ関連スライドの表示を希望すると入力されたときは、ＳＴ３６へ進む。ＳＴ３６では、図１０の「当該テーマ情報抽出処理部（プログラム）１６３」が動作し、図６の「端末側テーマ関連キーワード記憶部１２２」の「対応キーワード」が、図７の「発声キーワード記憶部１３５」の「発声キーワード」に含まれているか否かを判断する。
【００９５】
本実施の形態では、図６に示すように「対応キーワード」として、「副作用」と「降圧剤」があり、対応するテーマとして「降圧剤の副作用」が記憶されている。
また、上述の例では、「発声キーワード記憶部１３５」の「発声キーワード」として、
「高血圧」、「降圧剤」、「副作用」及び「高脂血症」が記憶されている。
したがって、「対応キーワード」の「副作用」と「降圧剤」が、「発声キーワード」に含まれていると判断されることになる。
【００９６】
ＳＴ３７で、「対応キーワード」が「発声キーワード」に含まれているときは、ＳＴ３８へ進む。ＳＴ３８では、「対応キーワード」と対応する「テーマ」を図１０の「当該テーマ情報記憶部１６４」に記憶する。
本実施の形態では、「対応キーワード」の「副作用」と「降圧剤」が、「発声キーワード」に含まれているので、ＳＴ３８では、「テーマ」である「降圧剤の副作用」が「当該テーマ情報記憶部１６４」に記憶される
【００９７】
次いで、ＳＴ３９へ進む。ＳＴ３９では、図１０の「テーマ関連スライド情報抽出処理部（プログラム）１６５」が動作し、図５の「端末側スライドデータ記憶部１１１」を参照し、図１０の「当該データ情報記憶部１６４」が記憶しているテーマ、本実施の形態では、例えば、「降圧剤の副作用」を有するスライドの有無を判断する。
【００９８】
ＳＴ４０で、「当該データ情報記憶部１６４」が記憶しているテーマ（例えば、「降圧剤の副作用」）を有するスライドが存在すると判断されるとＳＴ４１へ進む。
本実施の形態では、図５の「端末側スライドデータ記憶部１１１」に示すように、「スライドＰ−１」、「Ｐ−２」及び「Ｐ−５」が存在する。
【００９９】
ＳＴ４１では、図１０の「テーマ関連スライド情報記憶部１６６」に存在するスライド番号を記憶する。本実施の形態では、例えば、「スライドＰ−１」、「Ｐ−２」及び「Ｐ−５」を記憶する。
【０１００】
このように、本実施の形態では、ＭＲが医師との会話で話題となったテーマについてのスライド番号情報を抽出し、記憶させることができる。
【０１０１】
次いで、ＳＴ４２へ進む。ＳＴ４２では、図１１の「表示用テーマ関連スライド抽出処理部（プログラム）１７１」が動作し、図８の「基本スライド記憶部１４２」を参照し、記憶されているスライドと重複しないスライドが図１０の「テーマ関連スライド情報記憶部１６６」に記憶されているか否かを判断する。
【０１０２】
本実施の形態では、上述のように、「基本スライド記憶部１４２」には、「スライドＰ−１」、「Ｐ−２」、「Ｐ−３」及び「Ｐ−４」が記憶されており、「テーマ関連スライド情報記憶部１６６」には、「スライドＰ−１」、「Ｐ−２」及び「Ｐ−５」が記憶されている。
したがって、「基本スライド記憶部１４２」と重複しないスライドは「スライドＰ−５」となり、このスライド番号が「テーマ関連スライド情報記憶部１６６」に記憶されていることになる。
【０１０３】
ＳＴ４３で、「基本スライド記憶部１４２」と重複しないスライド番号が「テーマ関連スライド情報記憶部１６６」に記憶されているときは、ＳＴ４４へ進む。
ＳＴ４４では、図１１の「表示用テーマ関連スライド記憶部１７２」に当該スライド番号、本実施の形態では、「スライドＰ−５」を記憶する。
【０１０４】
次いで、ＳＴ４５へ進む。ＳＴ４５では、図１１の「表示用テーマ関連スライド記憶部１７２」に記憶されているスライド番号を「テーマ関連スライド」としてタブレット型端末３０の端末側ディスプレイ３１に表示する。
そして、このような表示を視認したＭＲは、「テーマ関連スライド」として表示された「スライド番号」を端末側タッチパネル３１上で、クリック等して選択するだけで、当該スライド番号のスライド内容が表示されること構成となっている。
【０１０５】
したがって、ＭＲは、医師との会話で話題となったテーマに関連するスライド情報を表示できるので、医師との面談中により円滑且つ適切な医薬情報の提供を行うことができる。
また、本実施の形態では、「テーマ関連スライド」として表示するスライド番号は、ＳＴ３３等で端末側ディスプレイ３１に表示される推奨スライド番号に含まれないスライド番号であるため、同一のスライド番号を重複表示することを回避することができる。
したがって、面談中のＭＲに不要な混乱等を生じさせることを回避することができ、より円滑な医薬情報の提供を行うことができる。
【０１０６】
なお、「テーマ関連スライド」が、関連分類推奨スライド情報の一例となっている。
【０１０７】
なお、本発明は上述の実施の形態に限らない。
【符号の説明】
【０１０８】
１・・・プレゼンテーション支援システム、２・・・インターネット網、３・・・基地局、１０・・・Ｘ製薬医薬情報サーバ、１１・・・サーバ制御部、１２・・・サーバ側通信装置、１３・・・サーバ側ディスプレイ、１４・・・サーバ側各種情報入力装置、１５・・・サーバ側スライドデータ記憶部、１６・・・サーバ側キーワード関連データ記憶部、１７・・・サーバ側テーマ関連キーワード記憶部、１８・・・サーバ側病院データ記憶部、１９・・・サーバ側スライド提供順履歴データ記憶部、３０・・・タブレット型端末、３１・・・端末側タッチパネル、３２・・・端末側入力ボタン、３３・・・端末制御部、７０・・・携帯電話、７１・・・携帯側タッチパネル、７２・・・携帯側入力ボタン、７３・・・マイクロホン、７４・・・携帯制御部、７５・・・携帯側通信装置、７６・・・携帯電話装置本体、７７・・・５０音節記憶部、７８・・・音節判断部（プログラム）、７９・・・携帯側発声音節記憶部、８０・・・端末側各種情報記憶部、１１０・・・第１の端末側各種情報記憶部、１１１・・・端末側スライドデータ記憶部、１２０・・・第２の端末側各種情報記憶部、１２１・・・端末側キーワード関連データ記憶部、１２２・・・端末側テーマ関連キーワード記憶部、１２３・・・端末側病院データ記憶部、１３０・・・第３の端末側各種情報記憶部、１３１・・・端末側スライド提供順履歴データ記憶部、１３２・・・訪問Ｄｒ情報記憶部、１３３・・・端末側発声音節記憶部、１３４・・・キーワード検出部（プログラム）、１３５・・・発声キーワード記憶部、１３６・・・関連キーワード検出部（プログラム）、１３７・・・関連単語基準キーワード検出部（プログラム）、１４０・・・第４の端末側各種情報記憶部、１４１・・・基本スライド選択処理部（プログラム）、１４２・・・基本スライド記憶部、１４３・・・スライド優先情報付与部（プログラム）、１４４・・・優先順位情報記憶部、１４５・・・病院固有情報付与部（プログラム）、１５０・・・第５の端末側各種情報記憶部、１５１・・・病院固有情報記憶部、１５２・・・表示順スライドデータ抽出部（プログラム）、１５３・・・表示順スライド順データ記憶部、１５４・・・第１のスライド表示順決定処理部（プログラム）、１５５・・・第１のスライド表示順位決定記憶部、１６０・・・第６の端末側各種情報記憶部、１６１・・・第２のスライド表示順決定処理部（プログラム）、１６２・・・第２のスライド表示順決定記憶部、１６３・・・当該テーマ情報抽出処理部（プログラム）、１６４・・・当該テーマ情報記憶部、１６５・・・テーマ関連スライド情報抽出処理部（プログラム）、１６６・・・テーマ関連スライド情報記憶部、１７０・・・第７の端末側各種情報記憶部、１７１・・・表示用テーマ関連スライド抽出処理部（プログラム）、１７２・・・表示用テーマ関連スライド記憶部
【図１】
2020184343.tif 000003
【図２】
2020184343.tif 000004
【図３】
2020184343.tif 000005
【図４】
2020184343.tif 000006
【図５】
2020184343.tif 000007
【図６】
2020184343.tif 000008
【図７】
2020184343.tif 000009
【図８】
2020184343.tif 000010
【図９】
2020184343.tif 000011
【図１０】
2020184343.tif 000012
【図１１】
2020184343.tif 000013
【図１２】
2020184343.tif 000014
【図１３】
2020184343.tif 000015
【図１４】
2020184343.tif 000016
【図１５】
2020184343.tif 000017
【図１６】
2020184343.tif 000018
【図１７】
2020184343.tif 000019